【事件の表示】
　特許第２８８９５３８号「建具用ランナー」の請求項１に係る特許に対する特許異議の申立てについて、次のとおり決定する。
【結　論】
　訂正を認める。
　本件特許異議の申立てを却下する。
【理　由】
第１　手続の経緯
　本件特許第２８８９５３８号は、平成８年８月２９日に出願され、平成１１年２月１９日に特許の設定登録がなされ、平成１１年６月１８日に特許異議申立人ケージーパルテック株式会社より特許異議の申立がなされ、当審において取消理由通知がなされ、その指定期間内である平成１２年７月１７日に特許異議意見書とともに訂正請求書が提出された。
　
第２　訂正請求について
１．訂正請求の内容
　上記訂正請求書は、明細書の特許請求の範囲の減縮、明りょうでない記載の釈明及び誤記の訂正を目的とするものであって、その訂正の内容は、次のとおりである。
（１）訂正事項ａ
　明細書の特許請求の範囲の請求項１〜５において、請求項１を削除し、請求項２、３をまとめて次に記載する新たな請求項１とし、以降の項数を繰り上げる。
　「【請求項１】レールを走行するランナー部材と、戸板に固定される取付部材と、ランナー部材、取付部材を連結する支軸とが備えられ、取付部材が戸板に固定されるカップ部材と支軸を支持してカップ部材の内部に着脱されるホルダ部材とから分割されてなる建具用ランナーにおいて、
　カップ部材とホルダ部材を係合ロツクするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることを特徴とする建具用ランナー。」
（２）訂正事項ｂ
　請求項４の「請求項１、２または３の建具用ランナーにおいて、ホルダ部材の可動片は相対して１対設けられ、両可動片の操作部は２本の指先で摘む格好となるように配置されていることを特徴とする建具用ランナー。」の記載を、次に記載する新たな請求項２とする。
　「【請求項２】請求項１の建具用ランナーにおいて、ホルダ部材の可動片は相対して１対設けられ、両可動片の操作部は２本の指先で摘む格好となるように配置されていることを特徴とする建具用ランナー。」
（３）訂正事項ｃ
　請求項５の「請求項１、２、３または４の建具用ランナーにおいて、ホルダ部材の可動片は中途部の係合部の他方よりも自由端の操作部側で屈曲され基端からの長さが長く確保されていることを特徴とする建具用ランナー。」の記載を、次に記載する新たな請求項３とする。
　「【請求項３】請求項１または２の建具用ランナーにおいて、ホルダ部材の可動片は中途部の係合部の他方よりも自由端の操作部側で屈曲され基端からの長さが長く確保されていることを特徴とする建具用ランナー。」
（４）訂正事項ｄ
　訂正事項ａ〜ｃに伴い、発明の詳細な説明の記載において、訂正後の特許請求の範囲との整合を図るために、対応する段落の削除とまとめを行い、段落番号を繰り上げて訂正する。
（５）訂正事項ｅ
　明細書の段落番号【００１２】の「請求項２では、請求項１の建具用ランナーにおいて、ホルダ部材の可動片の中途部には係合部の他方が設けられていることを特徴とする。」の記載と、段落番号【００１４】の「請求項３では、請求項１または２の建具用ランナーにおいて、ホルダ部材の可動片は自由端に指先を掛けることのできる操作部が形成されていることを特徴とする。」の記載とをまとめて、訂正後の段落番号【００１０】を「【課題を解決するための手段】前述の課題を解決するため、本発明に係る建具用ランナーは、次のような手段を採用する。即ち、請求項１の建具用ランナーの特徴は、カップ部材とホルダ部材を係合ロックするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることにある。」と訂正する
（６）訂正事項ｆ
　明細書の段落番号【００１３】の「この手段では、弾性を発揮可能な中途部で係合される。」の記載と、段落番号【００１５】の「この手段では、指先で操作部を操作して係合溝，係合突起の係合口ツクを解除する。」の記載とをまとめて、訂正後の段落番号【００１１】を「この手段では、可動片の弾性を利用してカップ部材にホルダ部材を押し込みすると、案内面の案内により可動片が弾性変移して係合溝、係合突起が係合ロックされる。また、ホルダ部材の全体が一体成形されているために、ホルダ部材の耐衝撃強度，耐荷重強度が高められて耐久性が高くなっている。さらに、可動片の弾性により係合溝、係合突起の係合口ツクを保持、解除するため、ホルダ部材の構造が簡素化、小型化される。さらに、弾性を発揮可能な中途部で係合され、指先で操作部を操作して係合溝、係合突起の係合ロックを解除する。」と訂正する
（７）訂正事項ｇ
　明細書の段落番号【００１６】の「請求項４では、請求項１、２または３の建具用ランナーにおいて」の記載を、訂正後の段落番号【００１２】の「請求項２では、請求項１の建具用ランナーにおいて」と訂正する。
（８）訂正事項ｈ
　明細書の段落番号【００１８】の「請求項５では、請求項１、２、３または４の建具用ランナーにおいて」の記載を、訂正後の段落番号【００１４】の「請求項３では、請求項１または２の建具用ランナーにおいて」と訂正する。
（９）訂正事項ｉ
　明細書の段落番号【００３８】の「下部レールＤ」の記載を、訂正後の段落番号【００３４】の「下部レールＣ」と訂正する。
　
２．訂正請求書による訂正請求の適否
２−１　訂正の目的等について
（１）訂正事項ａについて
　訂正事項ａは、特許請求の範囲を減縮することを目的とするものであって、特許法第１２０条の４第２項のただし書きの要件を満たすものと認められる。
（２）訂正事項ｂないしｈについて
　訂正事項ｂないしｈは、訂正事項ａのように訂正したことによって生じる明細書の記載の不都合を整えるものであるから、不明りょうな記載の釈明を目的とするものであって、特許法第１２０条の４第２項のただし書きの要件を満たすものと認められる。
（３）訂正事項ｉについて
　訂正事項ｉは、単なる誤記の訂正を目的とするものであって、特許法第１２０条の４第２項のただし書きの要件を満たすものと認められる。
（４）また、訂正事項ａないしｉは、いずれも明細書に記載した事項の範囲内であり、また、実質上特許請求の範囲を拡張し、変更するものでもないことから、特許法第１２０条の４第３項で準用する特許法第１２６条第２項及び第３項の要件を満たすものと認められる。
２−２　独立特許要件の判断
（１）本件訂正発明の認定
　訂正請求書添付の明細書の請求項１ないし３に係る発明（以下、本件訂正発明１ないし３という。）は、次のとおりのものである。
　「【請求項１】レールを走行するランナー部材と、戸板に固定される取付部材と、ランナー部材、取付部材を連結する支軸とが備えられ、取付部材が戸板に固定されるカップ部材と支軸を支持してカップ部材の内部に着脱されるホルダ部材とから分割されてなる建具用ランナーにおいて、
　カップ部材とホルダ部材を係合ロツクするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることを特徴とする建具用ランナー。
　【請求項２】請求項１の建具用ランナーにおいて、ホルダ部材の可動片は相対して１対設けられ、両可動片の操作部は２本の指先で摘む格好となるように配置されていることを特徴とする建具用ランナー。
　【請求項３】請求項１または２の建具用ランナーにおいて、ホルダ部材の可動片は中途部の係合部の他方よりも自由端の操作部側で屈曲され基端からの長さが長く確保されていることを特徴とする建具用ランナー。」
（２）本件訂正発明１が、特許出願の際独立して特許を受けることができるものであるかどうかについて検討する。
（２−１）特許法第２９条第２項について
　異議申立人は、本件特許の出願前に頒布された刊行物である甲第１号証及び甲第２号証を提示して、本件特許の特許請求の範囲の請求項１に係る発明は、特許法第２９条第２項に該当し特許を受けることができない旨申し立てているが、上記のように本件特許の特許請求の範囲は訂正請求されているので、訂正請求された発明（本件訂正発明１）が特許法第２９条第２項に該当するかどうか以下検討する。
（ア）甲第１号証及び甲第２号証には次の記載が認められる。
　甲第１号証：特開平７−９１１３４号公報（以下、刊行物１という。）
　吊り戸に於ける走行体支持装置に関する発明が記載されており、戸板Ａの側面に形成された嵌込み凹部Ｂには、受けケース１がはめ込んで取り付けられ、更に受けケース１に設けられた開口部２には着脱自在に走行体支持部材６がはめ込まれるようになっている。走行体支持部材６は、上部にローラー等の走行体を備え、内部にスプリング７によって常時上方に押しつけられたロック体８を備えており、該ロック体８は、第１の係合凸部１０と該ロック体８を操作するつまみ片１１とを備えており、該ロック体８に連なってその上端に第２の係合凸部１４が設けられている。一方、前記受けケース１の内側面には前記第１の係合凸部１０を受け入れる係合段部１３と第２の係合凸部１４が係入する係合孔１６が設けられている（段落番号【０００８】ないし【０００９】）。そして、ロック体８をつまみ片１１で押し下げた状態で走行体支持装置６を受けケース１に押し込み、つまみ片を離すと係合凸部１０、１４がそれぞれ係合段部１３、係合孔１６に係合し、ワンタッチで走行体を備える支持部材６を戸板Ａに結合することができるものである（段落番号【００１０】）。第７図及び第８図には他の実施例が記載されており、第２の係合凸部１４の上端がクサビ状の傾斜ガイド面１４ａに形成されており、支持部材６を受けケース１に押し込む際にロック体は自動的に押し下げられ、その後係合孔１６に係入するようになっている（段落番号【００１１】）。
　甲第２号証：特開平８−８９３１４号公報（以下、刊行物２という。）
　３点式シートベルトの連結装置に関する発明が記載されており、弾性脚片９３を備えるロック部材９０が合成樹脂で一体成形されており、各弾性脚片９３の撓みを利用して雄部材３０と雌部材４０とを着脱できるようになっている。
（イ）対比
　本件訂正発明１と刊行物１に記載されたものとを比較すると、刊行物１に記載されたものの走行体支持装置６は上部にローラー等の走行体を備えており、ロック体８は走行体支持装置６の内部においてスプリングにより弾性が付与されて上下方向に可動であり、ロック体の第２の係合凸部１４は受けケース１に設けられた係合孔１６と係合するものであり、さらに第７図及び第８図に示された実施例において、第２の係合凸部１４には傾斜ガイド面１４ａが設けられていることから、刊行物１に記載されたものの受けケース１、走行体支持装置６、ロック体８は、本件訂正発明１のカップ部材、ホルダ部材、可動片に相当し、本件訂正発明１と刊行物１に記載されたものとの一致点及び相違点は次のとおりと認められる。
　一致点：
　レールを走行するランナー部材と、戸板に固定される取付部材と、ランナー部材、取付部材を連結する支軸とが備えられ、取付部材が戸板に固定されるカップ部材と支軸を支持してカップ部材の内部に着脱されるホルダ部材とから分割されてなる建具用ランナ−において、
　カップ部材とホルダ部材を係合ロックするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられていることを特徴とする建具用ランナー。
　相違点：
　本件訂正発明１は、可動片を含むホルダ部材の全体が合成樹脂材を素材として一体成形され、可動片の中途部には係合部の他方が設けられるとともに自由端には指先を掛けることのできる操作部が形成されているのに対し、刊行物１に記載されたものの可動片は、そのように形成されていない点。
（ウ）相違点の検討
　本件訂正発明１の上記相違点のように、可動片を含むホルダ部材の全体を合成樹脂材を素材として一体成形するとともに、可動片の中途部には係合部の他方が設けられるとともに自由端には指先を掛けることのできる操作部を形成することは、刊行物２にも記載されておらず、本件特許の出願前に周知の技術的事項でもない。
　また、本件訂正発明１は、上記の相違点に係る構成としたことによって、明細書に記載されたように、「本発明に係る建具用ランナーは、カップ部材に対してホルダ部材を押し当てすると、中途部の手前にある案内面によって可動片が弾性変移するので、操作片を押し下げ操作することなく、単に押し当てするだけで係合溝と係合突起とを係合ロックすることができた。その結果、手の伸ばした戸上端部や屈み込みした戸下端部における折戸へのランナー部材の取付作業性を向上させることができ、ノックダウン方式に好適に用いられる。また、可動片を含むホルダ部材を一体成形したうえで可動片の中途部に係合溝又は係合突起を設ける係合ロック構造としたので、ホルダ部材の構造を簡素化、小型化することができ、戸板側へのカップ部材の取付スペースを小さくすることができる。その結果、戸板での取付部材を小さくして外観上優れたものとし、戸板の取付溝を大きくしたことによる戸板の構造劣化を阻止することができる。このことはホルダ部材を一体成形できることと相まって、安価、容易に製造することともなる。さらに、ホルダ部材の全体が一体成形されているために、ホルダ部材の耐衝撃強度、耐荷重強度を高めることができ、耐久性を高くすることができる。」（段落番号【００４８】ないし【００５０】）という作用効果を奏することができる。
　したがって、本件訂正発明１は、刊行物１及び２に記載されたものから当業者が容易に発明できたものとすることはできず、特許法第２９条第２項に該当するとすることはできない。
（３）また、本件訂正発明２及び３は本件訂正発明１を技術的に限定したものであるから、刊行物１及び２に記載されたものから当業者が容易に発明できたものとすることはできず、特許法第２９条第２項に該当するとすることはできない。
（４）また、本件訂正発明１ないし３には、他に特許出願の際独立して特許を受けることができないとする理由もないことから、特許法第１２６条第４項の要件を満たすと認められる。
２−３　むすび
　以上のとおりであるから、訂正請求書による訂正請求は、適法なものと認められる。
　
第３　特許異議申立てについて
　異議申立人は、甲第１号証及び甲第２号証を提示して、本件特許の特許請求の範囲の請求項１に係る発明は、特許法第２９条第２項に該当し特許を受けることができない旨申し立てているが、上記「第２」に記載したように特許請求の範囲の請求項１は訂正の結果削除され、特許異議の申立ての対象が存在しない。
　よって、結論のとおり決定する。
【異議決定日】
平成１２年８月２２日（２０００．８．２２）
【訂正の要旨】
　訂正の要旨
（１）訂正事項ａ
　明細書の特許請求の範囲の請求項１〜５において、請求項１を削除し、請求項２、３をまとめて次に記載する新たな請求項１とし、以降の項数を繰り上げる。
　「【請求項１】レールを走行するランナー部材と、戸板に固定される取付部材と、ランナー部材、取付部材を連結する支軸とが備えられ、取付部材が戸板に固定されるカップ部材と支軸を支持してカップ部材の内部に着脱されるホルダ部材とから分割されてなる建具用ランナーにおいて、
　カップ部材とホルダ部材を係合ロツクするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることを特徴とする建具用ランナー。」
（２）訂正事項ｂ
　請求項４の「請求項１、２または３の建具用ランナーにおいて、ホルダ部材の可動片は相対して１対設けられ、両可動片の操作部は２本の指先で摘む格好となるように配置されていることを特徴とする建具用ランナー。」の記載を、次に記載する新たな請求項２とする。
　「【請求項２】請求項１の建具用ランナーにおいて、ホルダ部材の可動片は相対して１対設けられ、両可動片の操作部は２本の指先で摘む格好となるように配置されていることを特徴とする建具用ランナー。」
（３）訂正事項ｃ
　請求項５の「請求項１、２、３または４の建具用ランナーにおいて、ホルダ部材の可動片は中途部の係合部の他方よりも自由端の操作部側で屈曲され基端からの長さが長く確保されていることを特徴とする建具用ランナー。」の記載を、次に記載する新たな請求項３とする。
　「【請求項３】請求項１または２の建具用ランナーにおいて、ホルダ部材の可動片は中途部の係合部の他方よりも自由端の操作部側で屈曲され基端からの長さが長く確保されていることを特徴とする建具用ランナー。」
（４）訂正事項ｄ
　訂正事項ａ〜ｃに伴い、発明の詳細な説明の記載において、訂正後の特許請求の範囲との整合を図るために、対応する段落の削除とまとめを行い、段落番号を繰り上げて訂正する。
（５）訂正事項ｅ
　明細書の段落番号【００１２】の「請求項２では、請求項１の建具用ランナーにおいて、ホルダ部材の可動片の中途部には係合部の他方が設けられていることを特徴とする。」の記載と、段落番号【００１４】の「請求項３では、請求項１または２の建具用ランナーにおいて、ホルダ部材の可動片は自由端に指先を掛けることのできる操作部が形成されていることを特徴とする。」の記載とをまとめて、訂正後の段落番号【００１０】を「【課題を解決するための手段】前述の課題を解決するため、本発明に係る建具用ランナーは、次のような手段を採用する。即ち、請求項１の建具用ランナーの特徴は、カップ部材とホルダ部材を係合ロックするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることにある。」と訂正する
（６）訂正事項ｆ
　明細書の段落番号【００１３】の「この手段では、弾性を発揮可能な中途部で係合される。」の記載と、段落番号【００１５】の「この手段では、指先で操作部を操作して係合溝，係合突起の係合ロックを解除する。」の記載とをまとめて、訂正後の段落番号【００１１】を「この手段では、可動片の弾性を利用してカップ部材にホルダ部材を押し込みすると、案内面の案内により可動片が弾性変移して係合溝、係合突起が係合ロックされる。また、ホルダ部材の全体が一体成形されているために、ホルダ部材の耐衝撃強度，耐荷重強度が高められて耐久性が高くなっている。さらに、可動片の弾性により係合溝、係合突起の係合ロツクを保持、解除するため、ホルダ部材の構造が簡素化、小型化される。さらに、弾性を発揮可能な中途部で係合され、指先で操作部を操作して係合溝、係合突起の係合ロックを解除する。」と訂正する
（７）訂正事項ｇ
　明細書の段落番号【００１６】の「請求項４では、請求項１、２または３の建具用ランナーにおいて」の記載を、訂正後の段落番号【００１２】の「請求項２では、請求項１の建具用ランナーにおいて」と訂正する。
（８）訂正事項ｈ
　明細書の段落番号【００１８】の「請求項５では、請求項１、２、３または４の建具用ランナーにおいて」の記載を、訂正後の段落番号【００１４】の「請求項３では、請求項１または２の建具用ランナーにおいて」と訂正する。
（９）訂正事項ｉ
　明細書の段落番号【００３８】の「下部レールＤ」の記載を、訂正後の段落番号【００３４】の「下部レールＣ」と訂正する。
（５４）【発明の名称】
建具用ランナー
（５７）【特許請求の範囲】
　　【請求項１】　レールを走行するランナー部材と、戸板に固定される取付部材と、ランナー部材，取付部材を連結する支軸とが備えられ、取付部材が戸板に固定されるカップ部材と支軸を支持してカップ部材の内部に着脱されるホルダ部材とから分割されてなる建具用ランナーにおいて、
　カップ部材とホルダ部材を係合ロックするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることを特徴とする建具用ランナー。
　　【請求項２】　請求項１の建具用ランナーにおいて、ホルダ部材の可動片は相対して１対設けられ、両可動片の操作部は２本の指先で摘む格好となるように配置されていることを特徴とする建具用ランナー。
　　【請求項３】　請求項１または２の建具用ランナーにおいて、ホルダ部材の可動片は中途部の係合部の他方よりも自由端の操作部側で屈曲され基端からの長さが長く確保されていることを特徴とする建具用ランナー。
【発明の詳細な説明】
　　　【０００１】
　　【発明の属する技術分野】
　本発明は、折戸や引戸をレールに建込むための建具用ランナーに係る技術分野に属する。
　　　【０００２】
　　【従来の技術】
　一般に、建具用ランナーは、レールを走行するランナー部材と、戸板に固定される取付部材と、ランナー部材，取付部材を連結する支軸とで構成されている。そして、この取付部材は、戸板に固定されるカップ部材と支軸を支持してカップ部材の内部に装着されるホルダ部材とから分割され、ネジ止により固定されている（実公平６−２４５４１号公報，実開平３−６３６７７号公報参照）。
　　　【０００３】
　この建具用ランナーによる折戸の建込み作業は、通常、レールにランナー部材を装着した後に、レールから支軸を介して突出しているホルダ部材を戸板を当接させ、戸板に取付けしたカップ部材にホルダ部材を組み付けした後にネジ止する手順により行われている。従って、ドライバー等の工具が必要であるうえに、ネジ止作業が必要である。特に、作業者の手を一杯に伸ばした戸板の上端部での作業であるために目視して確認できずに時間が掛かるため、折戸の建込み作業が面倒である。また、カップ部材，ホルダ，戸板のネジ止を一々解除しなければ建込まれた折戸を取外すことができないため、折戸の取外し作業も面倒である。
　　　【０００４】
　このため、建具用ランナーに係る技術分野では、折戸の建込み作業，取外し作業の容易化が指向されている。特に、ノックダウン方式が採用さ肌ている昨今では、高度な組み付け技術を必要としなくなっており、戸板に取り付けされたカップ部材に対するホルダ部材の固定作業に際しても同様な要望があった。
　　　【０００５】
　前述の指向に対応した建具用ランナーとしては、例えば、特開平７−９１１３４号公報に記載のものが開示されている。
　　　【０００６】
　この従来の建具用ランナーは、カップ部材，ホルダ部材の間で折戸をねじ止めせずに建込み，取外しできるようにしてなるものである。カップ部材には略々Ｌ字形の係合溝が設けられ、ホルダ部材にはコイルスプリングに弾圧されてスライドするロック体が収納されるとともにロック体には係合突起が設けられて、カップ部材，ホルダ部材の間の係合ロックがなされるようになっている。なお、ホルダ部材の係合突起には、カップ部材，ホルダ部材の間の係合ロックの解除を行うための操作片が設けられている。
　　　【０００７】
　　【発明が解決しようとする課題】
　前述の従来の建具用ランナーでは、ホルダ部材の操作片を押し下げ操作した状態を保持しつつカップ部材のＬ字形の横溝に係合突起を係合させなければならないうえに、押し下げ操作したままでホルダ部材をさらに押し込み操作しなければならないものであった。そのために、手を一杯に伸ばした戸板の上端部においての作業が面倒であったことを何等解消できていないものであった。
　　　【０００８】
　ホルダ部材は、ホルダ本体とロック体とコイルスプリングとから部品構成されているうえに、内部空間にロック体とコインルスプリングを収納した後に封止材で封止して組み立てしているので、部品点数が多くて組み立てが面倒であって、コストが嵩むものであった。また、ホルダ部材が内部空間にコイルスプリング等を収容する組付構造体になっていることから、ホルダ部材の耐衝撃強度，耐荷重強度が低下して耐久性が低いという問題も指摘されている。さらに、ホルダ部材が大型化しているので、戸板側に大きな取付スペースが必要になるという問題点も指摘されていた、
　　　【０００９】
　本発明は、このような問題点を考慮してなされたもので、取付部材のホルダ部材の構造を簡素化，小型化するともに、取付部材のホルダ部材の耐久性を高めた建具用ランナーを提供することを課題とする。
　　　【００１０】
　　【課題を解決するための手段】
　前述の課題を解決するため、本発明に係る建具用ランナーは、次のような手段を採用する。即ち、請求項１の建具用ランナーの特徴は、カップ部材とホルダ部材を係合ロックするための係合溝と係合突起とからなる係合部の一方がカップ部材に設けられ、係合部の他方がホルダ部材の可動片に設けられ、ホルダ部材の可動片には弾性が付与されているとともに係合部の一方の手前には係合部の他方への案内面が設けられ、可動片を含むホルダ部材の全体が合成樹脂材を素材として一体成形され、可動片の中途部には係合部の他方が設けられるとともに自由端には指先を掛けることのできる操作部が形成されていることにある。
　　　【００１１】
　この手段では、可動片の弾性を利用してカップ部材にホルダ部材を押し込みすると、案内面の案内により可動片が弾性変移して係合溝，係合突起が係合ロックされる。また、ホルダ部材の全体が一体成形されているために、ホルダ部材の耐衝撃強度，耐荷重強度が高められて耐久性が高くなっている。さらに、可動片の弾性により係合溝，係合突起の係合ロックを保持，解除するため、ホルダ部材の構造が簡素化，小型化される。さらに、弾性を発揮可能な中途部で係合され、指先で操作部を操作して係合溝、係合突起の係合ロックを解除する。
　　　【００１２】
　請求項２では、請求項１の建具用ランナーにおいて、ホルダ部材の可動片は相対して１対設けられ、両可動片の操作部は２本の指先で摘む格好となるように配置されていることを特徴とする。
　　　【００１３】
　この手段では、両可動片の操作部を指先で摘むようにすると、係合溝，係合突起の係合ロックを解除する。
　　　【００１４】
　また、請求項３では、請求項１または２の建具用ランナーにおいて、ホルダ部材の可動片は中途部の係合溝または係合突起よりも自由端の操作部側で屈曲され基端からの長さが長く確保されていることを特徴とする。
　　　【００１５】
　この手段では、係合溝，係合突起の係合ロックを解除する力点である操作部から支点である基端までの長さがなくなる。
　　　【００１６】
　　【発明の実施の形態】
　以下、本発明に係る建具用ランナーの実施の形態を図面に基いて説明する。図１〜図６は、本発明に係る建具用ランナーの実施の形態（１）を示すものである。
　　　【００１７】
　この実施の形態では、戸板Ａの裏面Ａａに取付けられるタイプのものを示してある。この実施の形態は、戸板Ａの上部側と下部側とで構成を一部相違させている。
　　　【００１８】
　戸板Ａの上部側では、図３，図４に詳細に示されるように、上部レールＢを走行する上部ランナー部材１と、戸板Ａに固定される上部の取付部材２と、上部のランナー部材１，上部の取付部材２を連結する上部の支軸３とで構成される。
　　　【００１９】
　上部ランナー部材１は、戸板Ａの荷重を受けて箱形の上部レールＢの内部を走行する４輪型から構成できる。
　　　【００２０】
　上部取付部材２は、戸板Ａに固定されるカップ部材２１と、上部支軸３を支持してカップ部材２１に着脱されるホルダ部材２２とからなる。
　　　【００２１】
　上部取付部材２のカップ部材２１は、戸板Ａの裏面Ａａに掘込まれたＵ字形の取付溝Ａｂに埋込み取付けされるもので、取付溝Ａｂに収容されホルダ部材２２が嵌合着脱されるカップ部材本体２１１と、取付溝Ａｂの周囲の裏面Ａａに当接して戸板Ａにネジ止固定されるフランジ２１２とを備えている。カップ部材本体２１１は略々直方形状の収容部を有し、上部にホルダ部材２２の着脱の際にホルダ部材２２に支持された上部支軸３を通過させる通過溝２１３が端部（フランジ２１２側）から切込み形成され、切込みされた残部が上部規制壁２１１ａとされる。また、カップ部材本体２１１は、通過溝２１３のフランジ２１２近くにホルダ部材２２を係合ロックするための係合部の一方として係合溝２１４が一対切込み形成され、下部に前記係合溝２１４と対応してホルダ部材２２を係合ロックするための係合溝２１５が長孔形に穿孔形成されている。フランジ２１２には、３箇所に皿穴２１６が穿孔され、カップ部材本体２１１近くにホルダ部材２２を位置決めする一対のフレーム枠溝２１７，小突起用溝２１８とホルダ部材２２の離脱操作を容易にする下側の逃溝２１９とが表面側から掘込み形成され、全体として略々Ｕ字形を呈している。
　　　【００２２】
　上部取付部材２のホルダ部材２２は、合成樹脂材を素材としてカップ部材２１のカップ部材本体２１１に嵌合可能なブロック形に一体成形されてなる。ホルダ部材２２の上部と下部とには、それぞれ強力な弾性を有する可動片２２１が延びている。可動片２２１の中途部には、カップ部材２１の係合溝２１４，２１５に係合可能な係合部の他方として係合突起２２２が設けられている。この係合突起２２２には、カップ部材２１の係合溝２１４，２１５への係合を案内する案内面としてのテーパ面２２２ａと同係合を保持する係合段部２２２ｂとが設けられている。テーパ面２２２ａはホルダ部材２２を押し込みしたときに可動片２２１を弾性に抗して容易に後退させることができる程度の傾斜面に構成される。両可動片２２１の自由端には、指先を掛けることのできる操作部２２３がそれぞれ形成されている。可動片２２１の係合突起２２２，操作部２２３の間には、可動片２２１の基端からの長さを確保するため相対方向へ屈曲した屈曲部２２４が設けられている。従って、両操作部２２３は、２本の指先で摘むような格好で掛けられるように配置されている。この場合に、下位の可動片２２１の基端側に空隙２２１ａを延長して弾性力を高める構造とすることができる。なお、屈曲部２２４の外部から視認できる位置には、カップ部材２１の係合溝２１４，２１５から係合突起２２２を離脱操作する操作部２２３の３角印の操作方向表示２２５と「外す」の文字の操作内容表示２２６とが設けられている。また、可動片２２１の周囲には、可動片２２１を保護しホルダ部材２２のカップ部材２１への嵌合を位置合わせすフレーム２２７とフレーム２２７から突出した小突起２２８とが設けられている。
　　　【００２３】
　この上部取付部材２のホルダ部材２２には、戸板Ａの上下位置を調整するための調整機構４が装備されている。
　　　【００２４】
　調整機構４は、上部支軸３と直交する方向ヘホルダ部材２２に支持された操作軸４１と、操作軸４１に固定された駆動板歯車４２と、上部支軸３に螺合して駆動板歯車４２に９０度の間隔を介して噛合した従動板歯車４３と、ホルダ部材２２の外部から視認できる位置に設けられ操作軸４１の調整方向を示す矢印の調整方向表示４４と、ホルダ部材２２の外部から視認できる位置に設けられ操作軸４１の調整内容を示す「上」，「下」文字の調整内容表示４５とからなる。これ等の駆動板歯車４２，従動板歯車４３は、歯溝間隔を広くし歯丈を長くした星形からなるものが選択され、精密に組付けなくても有効な駆動伝達が行われるようになっている。
　　　【００２５】
　上部支軸３は、上部ランナー部材１に回転可能に連結され、上部取付部材２のホルダ部材２２にピン３１により回転不能に連結されている。なお、上部支軸３のホルダ部材２２側の端部には、前述の調整機構４の従動板歯車４３が螺合するためのネジ部３２が設けられている。
　　　【００２６】
　この実施の形態によると、上部取付部材２のホルダ部材２２が合成樹脂材で一体成形され、従来例のような複数パーツの組付構造が避けられているため、ホルダ部材２２の耐衝撃強度，耐荷重強度が高められている。従って、上部取付部材２のホルダ部材２２の耐久性が高くなるとともに、戸板Ａの開閉に伴う軋み音の発生が防止される。
　　　【００２７】
　また、上部取付部材２のホルダ部材２２に一体化されている弾性のある可動片に係合突起２２２が設けられて、従来例のような別部材を組込む部品点数の増加が避けられているため、ホルダ部材２２の構造が簡素化，小型化される。従って、上部取付部材２のホルダ部材２２の製造を安価，容易に行うことができるとともに、ホルダ部材２２に対応したカップ部材２１をも小型化させて戸板Ａ側に大きな取付スペースを確保する必要がなくなる。
　　　【００２８】
　この実施の形態で建込みを行うには、まず、上部取付部材２のカップ部材２１をネジ５により戸板Ａに固定する。この戸板Ａへの固定は、建込み現場の床面等で行うことができ簡単である。また、工場出荷の際に、戸板Ａに上部取付部材２のカップ部材２１を固定しておくこともできる。
　　　【００２９】
　次に、図１，図２に示すように、上部ランナー部材１を上部レールＢに装着する。そして、図２に示すように、上部レールＢから垂下して突出している上部取付部材２のホルダ部材２２に対して戸板Ａを当て、上部取付部材２のカップ部材２１，ホルダ部材２２を装着することになる。
　　　【００３０】
　上部取付部材２のカップ部材２１，ホルダ部材２２の装着の際には、カップ部材２１に当接したホルダ部材２２の係合突起２２２のテーパ面２２２ａに案内されて、可動片２２１が弾性変形して円滑にホルダ部材２２の係合突起２２２をカップ部材２１の係合溝２１４，２１５に係合させる。そして、ホルダ部材２２の係合突起２２２とカップ部材２１の係合溝２１４，２１５との係合２１は、ホルダ部材２２の係合突起２２２の係合段部２２２ｂによって確実に保持される。
　　　【００３１】
　上部取付部材２のカップ部材２１，ホルダ部材２２が係合ロックされた状態では、調整機構４の操作軸４１を回動することにより、戸板Ａを上下動させることができる。この戸板Ａの上下位置調整は、調整方向表示４４，調整内容表示４５により誤りなく迅速に行い得る。
　　　【００３２】
　なお、上部取付部材２のカップ部材２１，ホルダ部材２２が係合ロックを解除するには、図４に示すように、ホルダ部材２２の操作部２２３を２本の指先で摘むようにするだけでよい。操作部２２３が設けられている可動片２２１の弾性は、カップ部材２１の係合溝２１４，２１５とホルダ部材２２の係合突起２２２との離脱を容易にする。また、可動片２２１に設けられた屈曲部２２４によって可動片２２１の長さが確保され、力点である操作部２２３から支点である可動片２２１の基端までの長さが長くなるため、可動片２２１の中途部にある作用点である係合突起２２２の離脱を小さな操作力で確実に奏させることができる。この上部取付部材２のカップ部材２１，ホルダ部材２２が係合ロックの解除は、ホルダ部材２２の操作方向表示２２５，操作内容表示２２６により誤りなく迅速に行い得る。
　　　【００３３】
　戸板Ａの下部側では、図５，図６に詳細に示されるように、下部レールＣを走行する下部のランナー部材６と、戸板Ａに固定される下部の取付部材７と、下部のランナー部材６，下部の取付部材７を連結する下部支軸８とで構成される。
　　　【００３４】
　下部ランナー部材６は、戸板Ａの荷重を受けずに箱形の下部レールＣの内部を遊動走行する１輪型から構成できる。
　　　【００３５】
　下部取付部材７は、戸板Ａに固定されるカップ部材７１と、下部支軸８を支持してカップ部材７１に着脱されるホルダ部材７２とからなる。
　　　【００３６】
　下部取付部材７のカップ部材７１は、上部取付部材２のカップ部材２１と全く同一構造のものが上下逆にして使用される。下部取付部材７のカップ部材７１について図面に付されている番号は、上部取付部材２のカップ部材２１の各部に対応しており、重複説明を省略する。
　　　【００３７】
　下部取付部材７のホルダ部材７２は、上部取付部材２のホルダ部材２２とほぼ同一構造のものが上下逆にして使用される。下部取付部材７のホルダ部材７２について図面に付されている番号は、上部取付部材２のホルダ部材２２の各部に対応しており、重複説明を省略する。なお、下部取付部材７のホルダ部材７２には、前述の調整機構４が装備されていない。また、操作内容表示７２６は、上下で反転表示されて、下部取付部材７を下部で荷重を支える戸板Ａの上部にも使用する場合にも対応することができるようになっている。
　　　【００３８】
　下部支軸８は、ホルダ部材７２側の端部にフランジ８１を備えコイルスプリング８２により上方へ引上げ付勢されている。
　　　【００３９】
　この戸板Ａの下部側では、前述の戸板Ａの上部側とほぼ同様の作用，効果が奏される。
　　　【００４０】
　図７〜図１２は、本発明に係る建具用ランナーの実施の形態（２）を示すものである。
　　　【００４１】
　この実施の形態では、戸板Ａの端面（木口）Ａｃに取付けられるタイプのものを示してある。
　　　【００４２】
　この実施の形態は、前述の実施の形態（１）と基本構成が一致しており、各部について図面に付された番号は、実施の形態（１）の各部に対応している。
　　　【００４３】
　この実施の形態では、上部取付部材２のカップ部材２１，下部取付部材７のカップ部材７１に前述の実施の形態（１）のフランジ２１２を備えず、カップ部材本体２１１，７１１にネジ孔２１６，７１６を設けてある。従って、この実施の形態の上部取付部材２のカップ部材２１，下部取付部材７のカップ部材７１は、戸板Ａの取付溝Ａｂに完全に埋込み固定されることになる。
　　　【００４４】
　さらに、この実施例では、上部取付部材２のホルダ部材２２，下部取付部材７のホルダ部材７２のフレーム２２７，７２７を可動片２２１，７２１の周囲全体を囲むように形成し、同じく小突起２２８，７２８を省略してある。
　　　【００４５】
　この実施の形態によると、前述の実施の形態（１）とほぼ同様の作用，効果が奏される。
　　　【００４６】
　以上、図示した実施の形態の外に、カップ部材２１，７１とホルダ部材２２，７２との係合部としての凹凸係合関係や上下位置を逆構成にすることも可能である。また、上部ランナー部材１と下部ランナー部材６を上下一体に取付けした場合を前提として図示説明したが、上下いずれか一方に実施することを妨げないものである。
　　　【００４７】
　さらに、折戸を前提として図示説明したが、引戸にも同様な構成で実施可能である。さらにまた、建具用ランナーとしたが、構造を小さくすることで家具用ランナーとして実施することも妨げない。
　　　【００４８】
　　【発明の効果】
　以上のように、本発明に係る建具用ランナーは、カップ部材に対してホルダ部材を押し当てすると、中途部の手前にある案内面によって可動片が弾性変移するので、操作片を押し下げ操作することなく、単に押し当てするだけで係合溝と係合突起とを係合ロックすることができた。その結果、手の伸ばした戸上端部や屈み込みした戸下端部における折戸へのランナー部材の取付作業性を向上させることができ、ノックダウン方式に好適に用いられる。
　　　【００４９】
　また、可動片を含むホルダ部材を一体成形したうえで可動片の中途部に係合溝又は係合突起を設ける係合ロック構造としたので、ホルダ部材の構造を簡素化，小型化することができ、戸板側へのカップ部材の取付スペースを小さくすることができる。その結果、戸板での取付部材を小さくして外観上優れたものとし、戸板の取付溝を大きくしたことによる戸板の構造劣化を阻止することができる。このことはホルダ部材を一体成形できることと相まって、安価，容易に製造することともなる。
　　　【００５０】
　さらに、ホルダ部材の全体が一体成形されているために、ホルダ部材の耐衝撃強度，耐荷重強度を高めることができ、耐久性を高くすることができる。
【図面の簡単な説明】
　　【図１】
　本発明に係る建具用ランナーの実施の形態（１）を示す建込み前の状態の斜視図である。
　　【図２】
　図１の建込み作業を示す斜視図である。
　　【図３】
　図１，図２の上部側の拡大正面図である。
　　【図４】
　図３の縦断面図である。
　　【図５】
　図１，図２の下部側の拡大正面図である。
　　【図６】
　図５の縦断面図である。
　　【図７】
　本発明に係る建具用ランナーの実施の形態（２）を示す建込み前の状態の斜視図である。
　　【図８】
　図７の建込み作業を示す斜視図である。
　　【図９】
　図７，図８の上部側の拡大正面図である。
　　【図１０】
　図９の縦断面図である。
　　【図１１】
　図７，図８の下部側の拡大正面図である。
　　【図１２】
　図１１の縦断面図である。
　　【符号の説明】
　１，６　　　　　　　　　　　　　ランナー部材
　２，７　　　　　　　　　　　　　取付部材
　２１，７１　　　　　　　　　　　カップ部材
　２１４，２１５，７１４，７１５　係合溝
　２２，７２　　　　　　　　　　　ホルダ部材
　２２２，７２２　　　　　　　　　係合突起
　７２２ａ　　　　　　　　　　　　案内面
　３，８　　　　　　　　　　　　　支軸
　Ａ　　　　　　　　　　　　　　　戸板
　Ｂ，Ｃ　　　　　　　　　　　　　レール